(57)【要約】【課題】原動機から送風機に動力を伝動するベルトに張力を付与するための送風機用ベルトテンション装置において、ベルトの張力の調整を不要にする。【解決手段】モータ３から送風機に動力を伝動するＶベルトに張力を付与するための送風機用ベルトテンション装置１において、圧縮コイルバネ７を用いてＶベルトに張力を付与する構成である。【選択図】図４
2012092904.tif 000002
【特許請求の範囲】
【請求項１】
原動機から送風機に動力を伝動するベルトに張力を付与するための送風機用ベルトテンション装置において、
前記張力を、弾性体を用いて付与する構成である、
ことを特徴とする送風機用ベルトテンション装置。
【請求項２】
回転入力軸に従動プーリが設けられている送風機が設置されるベース体と、
回転出力軸に原動プーリが設けられている原動機が設置され、前記従動プーリと前記原動プーリとに巻き掛けられているベルトが弛緩もしくは緊張するように、前記ベース体に対して移動自在である原動機設置体と、
前記ベース体に対して前記原動機設置体を移動させ、前記ベルトに張力を付与するコイルバネとを有する、
ことを特徴とする送風機用ベルトテンション装置。
【請求項３】
請求項２に記載の送風機用ベルトテンション装置において、
前記回転入力軸と前記回転出力軸との延伸方向では、前記各プーリの位置と前記コイルバネの位置とが互いにほぼ一致している、
ことを特徴とする送風機用ベルトテンション装置。
【請求項４】
請求項２または請求項３に記載の送風機用ベルトテンション装置において、
前記コイルバネは、バネ用ハウジングの内部に設置されている圧縮コイルバネであり、
この圧縮コイルバネの一端部が、前記ベース体に一体的に設けられている前記バネ用ハウジングに当接し、前記圧縮コイルバネの他端部が、前記原動機設置体に一体的に設けられているバネ当接体に当接し、
前記バネ用ハウジングと前記バネ当接体との間には、前記原動機設置体の移動方向に前記バネ当接体をガイドするガイド手段が設けられている、
ことを特徴とする送風機用ベルトテンション装置。
【発明の詳細な説明】
【技術分野】
【０００１】
本発明は、モータと送風機との間に設置されたベルトに張力を付与するための送風機用ベルトテンション装置に関するものである。
【背景技術】
【０００２】
従来、モータ側プーリと送風機側プーリとに巻き掛けられたベルトの張力をボルト等のネジを用いて調整している。すなわち、モータが設置されているモータ設置体を、送風機が設けられているベース体に移動自在に設け、ベース体に螺合しているボルトでモータ設置体を固定し、ベルトの張力を調整している。
【０００３】
なお、上記した従来の技術に関する特許文献として、例えば、特許文献１、特許文献２を挙げることができる。
【先行技術文献】
【特許文献】
【０００４】
【特許文献１】特開２００２−１１５７４９号公報
【特許文献２】特開平１１−１３６９０３号公報
【発明の概要】
【発明が解決しようとする課題】
【０００５】
しかしながら、ボルトを用いてベルトの張力を調整する従来の方式では、所定の時間毎にベルトの張力を調整する必要が生じる場合がある。
【０００６】
すなわち、モータをある程度の時間駆動することでベルトが極僅か伸びると、ベルトの張力が小さくなり、ベルトがプーリに対してスリップしてしまう場合ある。
【０００７】
そこで、ベルトの張力を適切な値に保つべく、所定時間毎にボルトを操作してベルトの張力を調整する必要が生じる。
【０００８】
本発明は、上記した問題点に鑑みてなされたものであり、原動機から送風機に動力を伝動するベルトに張力を付与するための送風機用ベルトテンション装置において、ベルトの張力の調整を不要にすることのできる送風機用ベルトテンション装置を提供することを目的とする。
【課題を解決するための手段】
【０００９】
請求項１に記載の発明は、原動機から送風機に動力を伝動するベルトに張力を付与するための送風機用ベルトテンション装置において、前記張力を、弾性体を用いて付与する構成である送風機用ベルトテンション装置である。
【００１０】
請求項２に記載の発明は、回転入力軸に従動プーリが設けられている送風機が設置されるベース体と、回転出力軸に原動プーリが設けられている原動機が設置され、前記従動プーリと前記原動プーリとに巻き掛けられているベルトが弛緩もしくは緊張するように、前記ベース体に対して移動自在である原動機設置体と、前記ベース体に対して前記原動機設置体を移動させ、前記ベルトに張力を付与するコイルバネとを有する送風機用ベルトテンション装置である。
【００１１】
請求項３に記載の発明は、請求項２に記載の送風機用ベルトテンション装置において、前記回転入力軸と前記回転出力軸との延伸方向では、前記各プーリの位置と前記コイルバネの位置とが互いにほぼ一致している送風機用ベルトテンション装置である。
【００１２】
請求項４に記載の発明は、請求項２または請求項３に記載の送風機用ベルトテンション装置において、前記コイルバネは、バネ用ハウジングの内部に設置されている圧縮コイルバネであり、この圧縮コイルバネの一端部が、前記ベース体に一体的に設けられている前記バネ用ハウジングに当接し、前記圧縮コイルバネの他端部が、前記原動機設置体に一体的に設けられているバネ当接体に当接し、前記バネ用ハウジングと前記バネ当接体との間には、前記原動機設置体の移動方向に前記バネ当接体をガイドするガイド手段が設けられている送風機用ベルトテンション装置である。
【発明の効果】
【００１３】
本発明によれば、原動機から送風機に動力を伝動するベルトに張力を付与するための送風機用ベルトテンション装置において、ベルトの張力の調整が不要になるという効果を奏する。
【図面の簡単な説明】
【００１４】
【図１】本発明の実施形態に係る送風機用ベルトテンション装置の概略構成を示す正面図である。
【図２】送風機用ベルトテンション装置の概略構成を示す平面図であって、図１におけるＩＩ矢視図である。
【図３】送風機用ベルトテンション装置の概略構成を示す側面図であって、図２におけるＩＩＩ矢視図である。
【図４】図１におけるＩＶ−ＩＶ矢視図である。
【図５】図２におけるＶ−Ｖ矢視図である。
【図６】図４におけるＶＩ部の拡大図である。
【図７】図４において、モータ設置体が移動し、圧縮コイルバネが圧縮された状態を示す図である。
【図８】図７におけるＶＩＩＩ−ＶＩＩＩ矢視図である。
【図９】バネ当接体の３面図である。
【図１０】バネ用ハウジングの３面図である。
【図１１】圧縮コイルバネの圧縮長さと力の関係を示す図である。
【図１２】図１におけるＸＩＩ部の拡大図であって、ベルトの適正張力を示す目盛りが付されている窓係合体等を示す図である。
【発明を実施するための形態】
【００１５】
本発明の実施形態に係る送風機用ベルトテンション装置１は、原動機としてのモータ３から送風機（図示せず）に動力を伝動するベルトとしてのＶベルト５に張力を付与するための装置である。原動機としては、例えば、インダクションモータ等のモータを挙げることができ、送風機としては、例えば、ビル等の建屋の空調システムで空気を送るための送風機を挙げることができる。
【００１６】
送風機用ベルトテンション装置１では、Ｖベルト５が動力を伝動するための張力を、バネ（弾性体）としての圧縮コイルバネ（コイルバネ）７を用いて付与するように構成されている（圧縮コイルバネ７のみが張力を発生している構成になっている）。
【００１７】
詳しく説明すると、送風機用ベルトテンション装置１は、ベース体９と、モータ設置体（原動機設置体）１１と、圧縮コイルバネ７とを備えている。
【００１８】
ベース体９には、回転入力軸（図示せず）に従動プーリ（図示せず）が一体的に設けられている図示しない送風機（送風機の筐体）が一体的に設置されている。
【００１９】
モータ設置体１１には、モータ３（モータ３の筐体）が一体的に設置されている。モータ３の回転出力軸１５には、モータプーリ（原動プーリ）１３が一体的に設けられている。また、モータ設置体１１は、従動プーリとモータプーリ１３とに巻き掛けられているＶベルト５が弛緩もしくは緊張（弛緩・緊張）する方向（例えば、図１の左右方向；Ｙ方向）で、ベース体９に対して移動自在になっている。
【００２０】
ベース体９に送風機が設置され、モータ設置体１１にモータ３が設置されている状態では、送風機の回転入力軸の回転中心軸とモータ３の回転出力軸１５の回転中心軸とが互いに平行になって延伸しており、各回転中心軸の延伸方向で、各プーリの位置が互いに一致している。
【００２１】
また、ベース体９に送風機が設置され、モータ設置体１１にモータ３が設置されている状態でモータ設置体１１が移動すると、送風機の回転入力軸（従動プーリ）とモータ３の回転出力軸１５（モータプーリ１３）との間の距離が変化するようになっている。
【００２２】
モータ設置体１１の移動方向と、各回転中心軸を互いに結ぶ方向（各プーリの中心を通る直線の延伸方向）とが互いに一致していることが望ましいが、モータ設置体１１の移動方向と、各回転中心軸を互いに結ぶ方向との交差角度が０°以外でもよい。
【００２３】
すなわち、図１において、Ｖベルト５の張力Ｆの方向（各プーリの中心を通る直線の延伸方向）とモータ設置体１１の移動方向との交差角度が、０°であることが望ましいが、１０°以内、もしくは２０°以内、もしくは３０°以内、さらには、４５°以内になっていればよい。
【００２４】
圧縮コイルバネ７は、例えば、角バネであり、ベース体９に対してモータ設置体１１を移動させ、Ｖベルト５に張力を付与するものである。つまり、図１や図４において、圧縮コイルバネ７によって、ベース体９（モータ３等）を右方向に付勢し、Ｖベルト５に張力を付与するようになっている。
【００２５】
なお、図１では、圧縮コイルバネ７の伸縮方向とモータ設置体１１の移動方向とが、互いに一致している。また、圧縮コイルバネ７でＶベルト５に付与される張力Ｆの大きさは、モータプーリ１３から送風機のプーリへ動力を伝達することができるＶベルト５の初張力とほぼ等しくなっている。
【００２６】
また、送風機用ベルトテンション装置１では、図２、図４に示すように、送風機の回転入力軸とモータ３の回転出力軸１５との延伸方向で、各プーリ（従動プーリとモータプーリ１３）の位置と圧縮コイルバネ７の位置とが互いにほぼ一致している（図２、図４の上下方向で、各プーリと圧縮コイルバネ７の位置とが互いにほぼ一致している）。
【００２７】
すなわち、各プーリの中心を含み各回転中心軸に直交している平面上に、圧縮コイルバネ７の中心軸が位置しているか、もしくは、各プーリの中心を含み各回転中心軸に直交している平面の近傍に、圧縮コイルバネ７の中心軸が位置している。
【００２８】
圧縮コイルバネ７は、大径の圧縮コイルバネ７Ａの内側に小径の圧縮コイルバネ７Ｂを設けた多重構造になっており、各圧縮コイルバネ７Ａ，７Ｂが協働して張力を発生するように構成されている。
【００２９】
小径の圧縮コイルバネ７Ｂの外径は、大径の圧縮コイルバネ７Ａの内径よりも小さくなっている。また、大径の圧縮コイルバネ７Ａの自由長と小径の圧縮コイルバネ７Ｂの自由長とは互いにほぼ等しくなっている。そして、中心軸が互いに一致するようにして、大径の圧縮コイルバネ７Ａの内部に小径の圧縮コイルバネ７Ｂが配置されており、圧縮コイルバネ７が２重構造になっている。なお、互いに径が異なる３つ以上の圧縮コイルバネを用いて３重以上の多重構造にしてもよい。
【００３０】
これにより、各圧縮コイルバネ７Ａ，７Ｂが並列で配置されていることになり、圧縮コイルバネ７のバネ定数を大きくすることができる。なお、大径の圧縮コイルバネ７Ａのバネ定数と小径の圧縮コイルバネ７Ｂのバネ定数とをほぼ等しくてもよいし、いずれか一方が大きくなっていてもよい。
【００３１】
圧縮コイルバネ７は、バネ用ハウジング１７の内部に設置されている。また、圧縮コイルバネ７の一端部が、ベース体９に一体的に設けられているバネ用ハウジング１７に当接しており、圧縮コイルバネ７の他端部が、モータ設置体１１に一体的に設けられているバネ当接体１９に当接している。
【００３２】
すなわち、図４、図６等に示すように、圧縮コイルバネ７の左端が、バネ用ハウジング１７に当接しており、圧縮コイルバネ７の右端が、バネ当接体１９に当接している。
【００３３】
バネ用ハウジング１７とバネ当接体１９との間には、モータ設置体１１の移動方向にバネ当接体１９をガイドするガイド手段２１が設けられている。ガイド手段２１の詳細は後述する。また、バネ用ハウジング１７は、モータ設置体１１の移動方向で、ベース体９に対して位置決め自在になっている。
【００３４】
送風機用ベルトテンション装置１についてさらに詳しく説明する。
【００３５】
図１等に示すように、ベース体９には、平面状の上面が形成されている。図示していない送風機は、図１の左上方に位置している。
【００３６】
ベース体９の上面には、一対（２つ）のガイドロッド設置体２３を介して、円柱状に形成されている一対（２つ）のベース体用ガイドロッド２５が一体的に設けられている。ベース体用ガイドロッド２５は、ベース体９の上面から僅かに離れている。また、平面視した場合、図２や図４等に示すように、ベース体用ガイドロッド２５は、モータ３の筐体のところに位置しており、ベース体用ガイドロッド２５の軸の延伸方向とモータ設置体１１の移動方向とが互いに一致している。
【００３７】
モータ設置体１１は、矩形な平板状に形成されており、厚さ方向の各面（上面と下面）が、ベース体９の上面と平行になっている。また、平面視すると、矩形なモータ設置体１１の互いに対向している一対の辺が、モータ設置体１１の移動方向と平行になっている。また、モータ設置体１１は、ベース体９の上面から上方に僅かに離れ、ベース体用ガイドブッシュ２７を介して、ベース体用ガイドロッド２５に支持されている。そして、モータ設置体１１がベース体９に対して、水平方向の所定の方向で直線的に移動自在になっている。
【００３８】
モータ３（モータ３の筐体）は、モータ設置体１１の上面に一体的に設置されている。平面視では、図２等に示すように、モータ３の筐体とモータ設置体１１とは、互いがほぼ重なっている。モータ３の回転出力軸１５は、モータ３の筐体の一方の側に延出している。ベース体用ガイドロッド２５の軸と、モータ３の回転出力軸１５の中心軸とは、平面視では互いに直交している。
【００３９】
バネ当接体１９は、細長い矩形な平板状の本体部２９と、矩形な平板状のバネ当接部３１と、矩形な平板状のガイド部３３とを備えている。バネ当接部３１は、本体部２９の長手方向の一端部側で本体部２９の厚さ方向の一方の面に立設されている。ガイド部３３は、本体部２９の長手方向の他端部側で本体部２９の厚さ方向の一方の面に立設されている。
【００４０】
バネ当接体１９は、長手方向がモータ設置体１１の移動方向と一致し、本体部２９の厚さ方向の他方の面がモータ設置体１１の１つの側面に面接触するようにして、ボルト等の締結具を用いてモータ設置体１１に一体的に設けられている。そして、モータプーリ１３の下方にバネ当接体１９が位置している。また、バネ当接部３１が、Ｖベルト５とは反対側に位置し、ガイド部３３がＶベルト５側に位置している。
【００４１】
バネ用ハウジング１７は、細長い矩形な枡状に形成されている。バネ用ハウジング１７の底板３５には、矩形な窓３７が形成されている。
【００４２】
バネ用ハウジング１７は、位置調整ボルト３９と、Ｖベルト５とは反対側に位置している一方のガイドロッド設置体２３とを介して、ベース体９に一体的に設けられている。ベース体９に一体的に設けられているバネ用ハウジング１７は、長手方向がバネ当接体１９の長手方向と一致し、開口部がバネ当接体１９の本体部２９側に位置し、底板３５がバネ当接体１９の本体部２９とは反対側に位置している。そして、バネ当接体１９のバネ当接部３１がバネ用ハウジング１７内に入り込み、バネ当接体１９のガイド部３３がバネ用ハウジング１７の外に出ている。
【００４３】
なお、位置調整ボルト３９は、一端部が、バネ用ハウジング１７の長手方向の一方の端部（Ｖベルト５とは反対側の端部）に位置している側板４１に螺合しており、ロックナット４３により、側板４１に一体的に設けられている。そして、位置調整ボルト３９は、バネ用ハウジング１７の長手方向（モータ設置体１１の移動方向）の、Ｖベルト５から離れる側に延出している。なお、バネ当接体１９のガイド部３３は、バネ用ハウジング１７の長手方向の他方の端部（Ｖベルト５側の端部）に位置している側板４５の外側に位置している。
【００４４】
バネ用ハウジング１７から延出している位置調整ボルト３９は、位置調整ナット４７に螺合している。位置調整ナット４７は、ガイドブッシュ４９を介してガイドロッド設置体２３に支持されており、図６等の左右方向には移動することなく、ガイドロッド設置体２３に対して回転自在になっている。そして、位置調整ナット４７が回転することにより、位置調整ボルト３９やバネ用ハウジング１７が長手方向（図６等の左右方向）で移動位置決めされるようになっている。なお、バネ用ハウジング１７等が移動位置決めされた状態で、ロックナット５１を締めれば、バネ用ハウジング１７等の位置が確実に維持されるようになっている。
【００４５】
バネ当接体１９のバネ当接部３１には、円柱状のバネ支持体５３が一体的に設けられている。バネ支持体５３は、ガイド部３３側に突出している。バネ用ハウジング１７の側板４５には、ハウジング用ガイドロッド５５が一体的に設けられている。ハウジング用ガイドロッド５５には、円柱状のバネ支持部５７と円柱状の被ガイド部５９とが形成されている。バネ支持部５７は、バネ当接部３１側（バネ当接体１９の中央側）に突出している。被ガイド部５９は、バネ当接部３１とは反対側に突出している。
【００４６】
そして、図６等に示すように、外径が小径の圧縮コイルバネ７Ｂの内径よりも僅かに小さいバネ支持体５３、外径がバネ支持体５３の外径と等しいバネ支持部５７に、小径の圧縮コイルバネ７Ｂが係合し、小径の圧縮コイルバネ７Ｂが位置決めされて支持されている。
【００４７】
なお、大径の圧縮コイルバネ７Ａは、内径が小径の圧縮コイルバネ７Ｂの外径よりも僅かに大きくなっていることにより、または、外径がバネ用ハウジング１７の内壁に接触して、位置決めされ支持されるようになっている。また、圧縮コイルバネ７の長手方向の一端部は、バネ当接体１９のバネ当接部３１に当接し、圧縮コイルバネ７の長手方向の他端部は、バネ用ハウジング１７の側板４５に当接している。
【００４８】
バネ当接体１９のガイド部３３には、貫通孔６１が設けられている。貫通孔６１の内径は、ハウジング用ガイドロッド５５の被ガイド部５９の外径よりも僅かに大きくなっており、被ガイド部５９が貫通孔６１を貫通している。これにより、ガイド手段２１が構成され、モータ設置体１１の移動方向にバネ当接体１９がガイドされ、バネ当接体１９に対するバネ用ハウジング１７の姿勢がほぼ一定に維持されるようになっている。
【００４９】
また、バネ当接体１９のバネ当接部３１には、図８等に示すように、窓係合体６３が一体的に設けられており、窓係合体６３の基端部側が、バネ用ハウジング１７の窓３７に係合し、窓係合体６３の先端部側が窓３７からバネ用ハウジング１７の外部に突出していていると共に、窓係合体６３の先端部側の一部が窓３７に係合している。これにより、バネ当接体１９のガイド部３３の貫通孔６１とハウジング用ガイドロッド５５の被ガイド部５９との場合と同様にして、モータ設置体１１の移動方向にバネ当接体１９がガイドされるようになっている。
【００５０】
ここで、ロックナット５１によるロックを解除して、位置調整ナット４７を回転させてバネ用ハウジング１７を移動させる場合について説明する。
【００５１】
まず、Ｖベルト５が設置されていない場合について説明する。この場合には、位置調整ナット４７の回転に応じて、圧縮コイルバネ７が伸縮することなく、図４に示す状態で、モータ設置体１１やバネ用ハウジング１７等が図４の左右方向に移動する。
【００５２】
次にＶベルト５が設置されている場合について説明する。なお、この場合において、バネ当接体１９のバネ当接部３１とバネ用ハウジング１７の側板４１とがお互いに接触している図４に示す状態で、各プーリに巻き掛けられているＶベルト５は、各プーリの間では、ほぼ直線状になっているが、張力は得ていないものとする。
【００５３】
図４に示す上記の状態で、バネ用ハウジング１７と位置調整ナット４７との距離が小さくなるように（バネ用ハウジング１７が右に移動するように）、位置調整ナット４７を回転させると、圧縮コイルバネ７が、バネ当接体１９のバネ当接部３１とバネ用ハウジング１７の側板４５とで圧縮されて、図７に示す状態になる。図７では、バネ当接体１９のバネ当接部３１とバネ用ハウジング１７の側板４１との間の距離が「ｙ」になっており、Ｖベルト５に張力が付与されている。
【００５４】
なお、図４や図６に示す状態の圧縮コイルバネ７は自由長になっているものとする。すなわち、図１１に示すような直線Ｇ１になっており、圧縮コイルバネ７に圧縮力がかかっていないものとする。
【００５５】
ここで、図１１について詳しく説明する。図１１の横軸は、たとえば、図７に示すように、バネ当接体１９のバネ当接部３１とバネ用ハウジング１７の側板４１との間の距離であり、図１１の縦軸は、圧縮コイルバネ７の圧縮力（もしくは圧縮コイルバネ７によるＶベルト５の張力Ｆ）である。そして、バネ当接体１９のバネ当接部３１とバネ用ハウジング１７の側板４１との間の距離が、「ｙ１」になったときに、Ｖベルト５に初張力Ｆ１が付与されるようになっている。
【００５６】
ところで、上記の説明では、図４や図６に示す状態の圧縮コイルバネ７は自由長になっているとしているが、図１１に直線Ｇ２もしくは直線Ｇ３で示すような態様になっていてもよい。たとえば、図４や図６に示す状態の圧縮コイルバネ７が圧縮されていてもよい（直線Ｇ２参照）。
【００５７】
また、送風機用ベルトテンション装置１では、図１２に示すように、バネ用ハウジング１７と窓係合体６３とに、Ｖベルト５の適切な初張力を示すための目盛り６５が設けられている。これにより、Ｖベルト５に付与する張力の大きさを適切なのものにすることが容易になる。
【００５８】
この目盛り６５は、モータ設置体１１の移動方向における移動寸法を表示しており、圧縮コイルバネ７の圧縮力の計算を容易にし、ベルト張力の調整作業を容易にできるようになっている。
【００５９】
次に、モータ３のモータプーリ１３と送風機のプーリとにＶベルト５を巻き掛ける動作等について説明する。
【００６０】
まず、位置調整ナット４７を回して、図４等に示している状態よりも、ベース体９（バネ当接体１９、バネ用ハウジング１７）を左側に位置させておき、モータ３のモータプーリ１３と送風機のプーリとの間にＶベルト５を巻き掛ける。
【００６１】
続いて、位置調整ナット４７を回すことにより、ベース体９（バネ当接体１９、バネ用ハウジング１７）を右側に移動させ、図２や図４に示す状態にする。さらに、位置調整ナット４７を回すことにより、バネ用ハウジング１７を右側に適宜移動させて、図７に示すように、圧縮コイルバネ７を圧縮する。これによりＶベルト５に初張力を発生させる。この状態でモータ３を稼動して送風機を運転する。
【００６２】
送風機用ベルトテンション装置１によれば、圧縮コイルバネ７を用いてＶベルト５に張力を付与しているので、モータ３や送風機の駆動によりＶベルト５の長さが若干長くなる等したときであっても、Ｖベルト５の張力を適切な範囲に維持することができる。したがって、Ｖベルト５の張力の調整がほぼ不要になる。すなわち、従来よりも長い時間にわたって、Ｖベルト５の張力を調整する必要が無くなる。
【００６３】
また、Ｖベルト５等に急激な過負荷が瞬間的にかかったとき、圧縮コイルバネ７が圧縮され、過負荷を吸収するので、Ｖベルト５やモータ３の軸受けや送風機の軸受けが過負荷から保護される。
【００６４】
また、送風機用ベルトテンション装置１によれば、送風機の回転入力軸とモータ３の回転出力軸１５との延伸方向では、各プーリの位置と圧縮コイルバネ７の位置とが互いにほぼ一致しているので、ベース体９とモータ設置体１１との間に発生するモーメントを小さくすることができる。
【００６５】
また、送風機用ベルトテンション装置１によれば、ガイド手段２１が設けられているので、安定した状態で圧縮コイルバネ７が圧縮され、Ｖベルト５の張力を変動の少ない安定した状態にすることができる。また、圧縮コイルバネ７がバネ用ハウジング１７の内部に設置されているので、万が一、圧縮コイルバネ７が破損した場合であっても、破損した圧縮コイルバネ７が飛散することを防ぐことができる。
【００６６】
なお、上記した説明では、圧縮コイルバネ７の伸縮方向と、モータ設置体１１の移動方向とは互いに一致しているが、異なっていてもよい。例えば、圧縮コイルバネ７の伸縮方向を、Ｖベルト５の張力の方向に一致させてもよい。
【符号の説明】
【００６７】
１  送風機用ベルトテンション装置
３  モータ（原動機）
５  Ｖベルト（ベルト）
７  圧縮コイルバネ（弾性体）
９  ベース体
１１  モータ設置体（原動機設置体）
１３  モータプーリ（原動プーリ）
１５  回転出力軸
１７  バネ用ハウジング
１９  バネ当接体
２１  ガイド手段
２３  ガイドロッド設置体
２５  ベース体用ガイドロッド
２７  ベース体用ガイドブッシュ
２９  本体部
３１  バネ当接部
３３  ガイド部
３５  底板
３７  窓
３９  位置調整ボルト
４１  側板
４３  ロックナット
４５  側板
４７  位置調整ナット
４９  ガイドブッシュ
５１  ロックナット
５３  バネ支持体
５５  ハウジング用ガイドロッド
５７  バネ支持体
５９  被ガイド部
６１  貫通孔
６３  窓係合体
６５  目盛り
【図１】
2012092904.tif 000003
【図２】
2012092904.tif 000004
【図３】
2012092904.tif 000005
【図４】
2012092904.tif 000006
【図５】
2012092904.tif 000007
【図６】
2012092904.tif 000008
【図７】
2012092904.tif 000009
【図８】
2012092904.tif 000010
【図９】
2012092904.tif 000011
【図１０】
2012092904.tif 000012
【図１１】
2012092904.tif 000013
【図１２】
2012092904.tif 000014